(57)【要約】      （修正有）【課題】下衣を上衣又は肩ベルトに連続させた衣服において、腰部保護ベルトを装着しても衣服の背面を体の屈伸に追随させられるようにすることができる腰部保護ベルトを取り付けた衣服を提供する。【解決手段】連結部材を介し相対移動を可能にして腰部保護ベルトを衣服に取り付け、これを衣服の腰部背面の内側に配置させた。衣服の背面に少なくとも上下方向に伸縮する伸縮部を横断状に設け、腰部保護ベルトを腰部背面の内側に取り付けた。【選択図】図３
2006063485.tif 000002
【特許請求の範囲】
【請求項１】
下衣を上衣又は肩ベルトに連続させた衣服に腰部保護ベルトを取り付けた衣服において、連結部材を介し相対移動を可能にして腰部保護ベルトを衣服に取り付け、衣服の腰部背面の内側に配させた衣服。
【請求項２】
下衣を上衣又は肩ベルトに連続させた衣服に腰部保護ベルトを取り付けた衣服において、衣服の背面に少なくとも上下方向に伸縮する伸縮部を横断状に設け、腰部保護ベルトを腰部背面の内側に取り付けた衣服。
【請求項３】
連結部材を伸縮可能な素材で形成した請求項１に記載の衣服。
【請求項４】
腰部保護ベルトを左右一対のベルトで構成し，各構成ベルトの基端部を腰部背面に取り付けた請求項２に記載の衣服。
【請求項５】
腰部保護ベルトを伸縮部に取り付けた請求項２又は４に記載の衣服。
【請求項６】
腰部保護ベルトの取り付け部の上及び／又は下に伸縮部を設けた請求項２又は４に記載の衣服。
【請求項７】
腰部保護ベルトの取付高さの調節を可能とした請求項１ないし６のいずれかに記載の衣服。
【発明の詳細な説明】
【技術分野】
【０００１】
本発明は、下衣を上衣又は肩ベルトに連続させた衣服に腰部保護ベルトを取り付けた衣服に関するもので、オーバーオールやつなぎ服などについて使用する。
【背景技術】
【０００２】
この種の衣服としては、特許文献１に開示のものが知られている。
ここに開示されている衣服は、肩ベルトを取り付けた下衣腰部のほぼ全周にわたって、連続的又は断続的に筒状の収容部材を取着し、この収容部材の中に腰痛ベルトを挿通させる構成を採用している。
【０００３】
しかしながら、この特許文献１に開示された腰痛ベルトは、腰部のスレキ体の下部に収容部材を位置させられているため、腰骨の高さ又はそれより低い位置で腰痛ベルトを装着することになる。しかし、その位置では、腰骨を締めつける機能を発揮できるものの、腰部を保護する機能を発揮させることはできない
【０００４】
また、この構成をオーバーオールやつなぎ服に採用する場合には、下衣が肩ベルトや上衣に連続一体化している上に背面と腰痛ベルトとが固定されているため、腰痛ベルトを装着時したまま体を前方向や斜め下方向に屈ませようとすると、衣服の背面の追随性が抑制され、腰部における圧迫感や抵抗感が大きくなりすぎて作業に支障を来したり、肩に大きなツッパリ感を与えてしまう不都合がある。
また、腰部全体に筒状の収容部材が配置されているため、服の腰部全体がベルトと一体になってしまい、つなぎ服の装着感がきわめて窮屈となって作業をしづらくしてしまう不都合もある。
【特許文献１】特開2002-20908号公報
【発明の開示】
【発明が解決しようとする課題】
【０００５】
本発明は、下衣を上衣又は肩ベルトに連続させた衣服に腰部保護ベルトを取り付けた衣服において、腰部保護ベルトを装着しても衣服の背面を体の屈伸に追随させられるようにすることを課題としたものである。
【課題を解決するための手段】
【０００６】
この技術的課題を解決するための第一の技術的手段は、（イ）連結部材を介し相対移動を可能にして腰部保護ベルトを衣服に取り付け、（ロ）これを衣服の腰部背面の内側に配置させたこと、である。
第二の技術的手段は、（ハ）衣服の背面に少なくとも上下方向に伸縮する伸縮部を横断状に設け、（ニ）腰部保護ベルトを腰部背面の内側に取り付けたこと、である。
【０００７】
第一の技術的手段において、腰部保護ベルトは衣服本体に取り付けられているから、衣服を装着する者は、腰部保護ベルトをつけたまま装着してこのベルトを腰の周りに位置させることができる。したがって、衣服の装着と同時に容易に腰部保護ベルトを装着することができる。
腰部保護ベルトは、連結部材を介し相対移動を可能としているから、このベルトを装着した状態において、衣服の背面がこのベルトによって拘束されることはない。
したがって、装着者が前方向や斜め下方向に屈む際に衣服の背面を体の屈伸に追随させることができる。
【０００８】
この技術的手段における連結部材としては、伸縮性を有するゴムなどの素材を好適に使用できるが、布ベルト、紐などを使用しても良い。いずれの部材であっても、腰部保護ベルトを装着した状態で衣服の背面の移動が拘束されないものであればよい。
腰部保護ベルトは、その位置が腰部背面の内側であるかぎり、それが固定される位置は問わない。腰部に固定しても良いし、肩部からつり下げて腰部に位置させるようにしても良い。
【０００９】
第二の技術的手段において、腰部保護ベルトは、衣服の腰部背面の内側に取り付けられているから、衣服を装着する者は、前記の技術的手段と同様に、服の装着時に容易に腰部保護ベルトを装着することができる。
衣服の腰部背面部には、少なくとも上下方向に伸縮する伸縮部が背面に横断状に設けられているから、腰部保護ベルト及び服の装着者が前方向や斜め下方向に屈もうとする際に、この部分の伸びと臀部の生地の余裕部分の移動とが相まって、衣服の背面を体の屈伸に追随させることができる。
【００１０】
第二の技術的手段においては、腰部保護ベルトは一本のものを使用する他、左右一対のベルトで構成し、各構成ベルトの基端部を腰部背面の内側に固定する構成を採用することができる。
腰部保護ベルトが一本で構成されている場合には、ベルトの背面中央部と服本体とを縫合、紐での括り付け、鋲による固定などの方法によって取り付ける他、連結部材を介して係留式の取り付けを行ったり、さらには面ファスナーを用いた取り付けを行えば良い。腰部保護ベルトが衣服から脱落しなければよいから、必ずしもこのベルトの背面全体を服に固定する必要はない。
左右一対のベルトで構成した場合には、服の背面側がベルトと一体となって腰に装着されることになるから、各構成ベルトの基端部を服の背面に強固に固定する必要がある。両者を縫い合わせたり、紐、鋲、面ファスナーなどを用いてしっかりと固定しておくことが望ましい。
【００１１】
また、腰部保護ベルトは伸縮部に取り付けても良いし、腰部保護ベルトの取り付け部の上及び下のいずれかまたはその双方に伸縮部を配置するようにしても良い。
腰部保護ベルトを伸縮部に取り付ける場合であっても、取り付け部を不必要に大きくしない限り、伸縮部の伸縮機能を阻害することはなく、全体として体の屈伸に追随させることができる。
なお、この伸縮部は、上下方向のみならず左右方向にも伸縮できるようにしておいてもよい。
【００１２】
また、腰部保護ベルトの衣服に対する高さを調節できるようにしておくと、同じサイズの服を装着する人の腰の高さに違いがあっても高さの微調整が可能となる。
この調整は、例えば縦長の面ファスナーを服の腰部背面に上下方向に固定しておくことによって上下方向で取付位置を変更させられるようにしたり、取付紐の長さを調節することによって行える。
なお、上記の技術的手段において使用する衣服としては、オーバーオールやつなぎ服を好適に使用することができるが、上衣と下衣とが連続一体化した他の形態の衣服であっても適用することができる。
【発明の効果】
【００１３】
衣服の背面を体の屈伸に追随させることができる結果、腰部における圧迫感や抵抗感がなくなり、肩に大きなツッパリ感が生じることもないから、腰部保護ベルトの装着感のみならず衣服の装着感も良く、作業を行う場合に支障が生じることはない。
【実施例１】
【００１４】
図１は、図示しない衣服に連結部材５を介して腰部保護ベルト１を取り付ける場合を示したものである。
この実施例における腰部保護ベルト１は、背面中央２を非伸縮性の合成皮革で形成し、その両側を横方向で伸縮するシート３、３で構成し、その先端に面ファスナー４を取り付けた構成となっている。
連結部材５はゴムベルトで形成してあり、その一端を背面中央２に縫着させ、他端を衣服の背面内側に面ファスナー６を用いて着脱可能に取り付けるようにしている。したがって、図２に示したしように、装着時に上下左右へ位置を調整して装着できるし、洗濯時には取り外すこともできる。
【実施例２】
【００１５】
図３は、作業着１０の上衣背面の下三分の一を上下方向に伸縮可能な生地１１で形成し、図１に示したものと同じ構成の腰部保護ベルトの背面中央２を伸縮生地１１に面ファスナー１２を用いて取り付けている。
ベルト１を伸縮生地１１に直接取り付けているが、その面積は小さく、伸縮生地１１の上下方向での幅がベルト１の幅より大きいため、作業着１０の背面を体の屈伸に追随させることができる。
【実施例３】
【００１６】
図４は、腰部保護ベルト１５を左右一対のベルト１６、１７によって構成した例を示している。
各ベルト１６、１７の基端部は作業着１０の背面腰部に直接縫着させてあり、その背面腰部の一部がベルトの一部を構成して装着者の腰部に巻かれることになる。ベルト１５を縫着させた作業着１０の背面は、縫着部の上を上下方向に伸縮可能な生地１９で構成しているから、ベルト１５を装着した状態でも作業着１０の背面を体の屈伸に追随させることができる。
【実施例４】
【００１７】
図４は、腰部保護ベルト１の取付位置を調整できるようにしたものであり、背面中央２に横長の面ファスナー７を取り付け、図示しない衣服側には縦長の面ファスナー８を取り付けたものを示している。体の大きさに応じて衣服のベルト１の取り付け位置を上下左右方向に調整することが可能となる。
【００１８】
なお、上記いずれの実施例においても、腰部保護ベルト１の伸縮部３は、横方向に伸縮シートて構成しているが、縦方向にも伸縮させるようにしたものであっても良い。また、ベルト１に伸縮部を設けないようにしても良い。
また、衣服の装着時に腰部保護ベルトが邪魔にならないように、ベルトの先端側を衣服の裏面にホックや面ファスナーなどのを利用して仮止めしておくと便利である。
【図面の簡単な説明】
【００１９】
【図１】連結部材を取り付けた腰部保護ベルトの斜視図
【図２】ベルトの位置調整の説明図
【図３】つなぎ服に腰部保護ベルトを取り付けた状態図
【図４】つなぎ服に左右一対からなる腰部保護ベルトを取り付けた状態図
【図５】他の実施例における腰部保護ベルトの斜視図
【符号の説明】
【００２０】
１腰痛保護ベルト、  ２ベルトの背面中央、  ３ベルトの伸縮部、  4、6、7、8、12、16、17面ファスナー、  ５連結部材としてのゴムベルト、  10作業着、  11、19
作業着の背面伸縮部、
【図１】
2006063485.tif 000003
【図２】
2006063485.tif 000004
【図３】
2006063485.tif 000005
【図４】
2006063485.tif 000006
【図５】
2006063485.tif 000007